(57)【要約】【課題】特定のユーザについて特定の情報等を送信できるようにした通信装置およびファクシミリ装置を提供することを目的としている。【解決手段】相手端末から受信した信号の内容に応じて、送信する文書ファイルを選択するとともに、複数の文書ファイルを組み合わせて送信するように設定しているので、例えば、料金を支払ってサービスに登録している登録ユーザと、それ以外の非登録ユーザについて、別々の文書ファイルを配信することができ、ユーザ種別に応じた配信サービスが可能となるという効果を得る。【選択図】          図２
2004260551.tif 000002
【特許請求の範囲】
【請求項１】
ポーリング送信機能を備えた通信装置において、
複数の文書を保存管理する文書蓄積管理手段と、
相手端末の端末識別情報に関連して、当該相手端末へ送信する１つ以上の文書の文書識別情報を保存したポーリング送信ファイル管理テーブル記憶手段を備え、
ポーリング送信要求時、相手端末の端末識別情報に対応して上記ポーリング送信ファイル管理テーブルから文書識別情報を読み出し、その文書識別情報に対応した文書を上記文書蓄積管理手段より読み出して、相手端末へ送信することを特徴とする通信装置。
【請求項２】
前記端末識別情報は、網より通知される発信者番号であることを特徴とする請求項１記載の通信装置。
【請求項３】
ポーリング送信機能を備えたファクシミリ装置において、
複数の文書を保存管理する文書蓄積管理手段と、
相手端末の端末識別情報に関連して、当該相手端末へ送信する１つ以上の文書の文書識別情報を保存したポーリング送信ファイル管理テーブル記憶手段を備え、
着信時、相手端末よりポーリング送信要求が指令されると、相手端の端末識別情報に対応して上記ポーリング送信ファイル管理テーブルから文書識別情報を読み出し、その文書識別情報に対応した文書を上記文書蓄積管理手段より読み出して、相手端末へ送信することを特徴とするファクシミリ装置。
【請求項４】
前記端末識別情報は、網より通知される発信者番号であることを特徴とする請求項３記載のファクシミリ装置。
【請求項５】
前記端末識別情報は、伝送前手順により相手端末より通知されるＩＴＵ−Ｔ勧告Ｔ．３０のＣＩＧ信号であることを特徴とする請求項３記載のファクシミリ装置。
【請求項６】
前記端末識別情報は、伝送前手順により相手端末より通知されるＩＴＵ−Ｔ勧告Ｔ．３０のＰＷＤ信号であることを特徴とする請求項３記載のファクシミリ装置。
【請求項７】
前記端末識別情報は、伝送前手順により相手端末より通知されるＩＴＵ−Ｔ勧告Ｔ．３０のＮＳＣ信号であることを特徴とする請求項１記載のファクシミリ装置。
【発明の詳細な説明】
【０００１】
【発明の属する技術分野】
本発明は、ポーリング送信機能を備えた通信装置、および、ポーリング送信機能を備えたファクシミリ装置に関する。
【０００２】
【従来の技術】
従来より、ファクシミリ装置等の通信装置には、発信元から内容を指示され、その指示された内容を発信元へ送信する、いわゆるポーリング送信機能が搭載されている（特許文献１参照）。この通信装置を使用すると、様々な人々にいろいろな情報を提供することができるので非常に便利である。
【０００３】
【特許文献１】
特開２０００−１５１９５５号
【０００４】
【発明が解決しようとする課題】
従来のポーリング送信機能では、どの発信元に対しても同じ情報を提供していた。例えば、一般のお客様（無料）には概要の情報を提供し、有料会員のお客様には、詳細の情報を提供するといったサービスや、全員に共通に提供する情報の他に、ある特定の人にはちょっとしたメッセージを付け加えて送信するようなことができなかった。
【０００５】
本発明は、かかる実情に鑑みてなされたものであり、特定のユーザについて特定の情報等を送信できるようにした通信装置およびファクシミリ装置を提供することを目的としている。
【０００６】
【課題を解決するための手段】
本発明は、ポーリング送信機能を備えた通信装置において、複数の文書を保存管理する文書蓄積管理手段と、相手端末の端末識別情報に関連して、当該相手端末へ送信する１つ以上の文書の文書識別情報を保存したポーリング送信ファイル管理テーブル記憶手段を備え、ポーリング送信要求時、相手端末の端末識別情報に対応して上記ポーリング送信ファイル管理テーブルから文書識別情報を読み出し、その文書識別情報に対応した文書を上記文書蓄積管理手段より読み出して、相手端末へ送信するようにしたものである。また、前記端末識別情報は、網より通知される発信者番号である。
【０００７】
また、ポーリング送信機能を備えたファクシミリ装置において、複数の文書を保存管理する文書蓄積管理手段と、相手端末の端末識別情報に関連して、当該相手端末へ送信する１つ以上の文書の文書識別情報を保存したポーリング送信ファイル管理テーブル記憶手段を備え、着信時、相手端末よりポーリング送信要求が指令されると、相手端の端末識別情報に対応して上記ポーリング送信ファイル管理テーブルから文書識別情報を読み出し、その文書識別情報に対応した文書を上記文書蓄積管理手段より読み出して、相手端末へ送信するようにしたものである。
【０００８】
また、前記端末識別情報は、網より通知される発信者番号である。
【０００９】
また、前記端末識別情報は、伝送前手順により相手端末より通知されるＩＴＵ−Ｔ勧告Ｔ．３０のＣＩＧ信号である。
【００１０】
また、前記端末識別情報は、伝送前手順により相手端末より通知されるＩＴＵ−Ｔ勧告Ｔ．３０のＰＷＤ信号である。
【００１１】
また、前記端末識別情報は、伝送前手順により相手端末より通知されるＩＴＵ−Ｔ勧告Ｔ．３０のＮＳＣ信号である。
【００１２】
【発明の実施の形態】
以下、添付図面を参照しながら、本発明の実施の形態を詳細に説明する。
【００１３】
図１は、本発明の一実施例にかかるグループ３ファクシミリ装置を示している。
【００１４】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１５】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１１は、このグループ３ファクシミリ装置をアナログ公衆網ＰＳＴＮに接続するためのものであり、自動発着信機能を備えている。
【００１９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２０】
また、網制御装置１１とグループ３ファクシミリモデム１０との間のデータのやりとりは、直接行なわれている。
【００２１】
さて、本実施例では、相手端末よりポーリング送信要求された場合、相手端末より受信する信号ＳＥＰおよび信号ＰＷＤの内容に応じて、送信する文書ファイルを設定している。このような信号ＳＥＰおよび信号ＰＷＤの内容と、送信する文書ファイルのファイル番号との関係は、図２に示すようなポーリング送信ファイル管理テーブル（パラメータメモリ３に保存）に登録される。
【００２２】
ここで、ファイル番号は、画像蓄積装置９にあらかじめ蓄積された文書ファイルのファイル番号をあらわす。
【００２３】
この場合、例えば、信号ＳＥＰの値が「０００１」であり、信号ＰＷＤを受信しなかった場合は、信号ＰＷＤの内容が「なし」なので、ファイル番号「Ｆ０００１」の文書ファイルの画情報を送信する。
【００２４】
また、信号ＳＥＰの値が「０００１」であり、信号ＰＷＤを受信していてその値が「１２３４」の場合は、ファイル番号「Ｆ０００２」の文書ファイルの画情報を送信する。
【００２５】
また、信号ＳＥＰの値が「０００２」であり、信号ＰＷＤを受信しなかった場合は、信号ＰＷＤの内容が「なし」なので、ファイル番号「Ｆ００１０」を送信する。
【００２６】
また、信号ＳＥＰの値が「０００２」であり、信号ＰＷＤの値が「９８７６」の場合には、ファイル番号「Ｆ００１０」の文書とファイル番号「Ｆ００１１」の文書を連結し、１つの文書として送信する。
【００２７】
また、信号ＳＥＰの値が「０００３」であり、信号ＰＷＤを受信しなかった場合は、信号ＰＷＤの内容が「なし」なので、ファイル番号「Ｆ００２０」を送信する。
【００２８】
また、信号ＳＥＰの値が「０００３」であり、信号ＰＷＤの値が「１１１１」の場合には、ファイル番号「Ｆ００２０」の文書とファイル番号「Ｆ００２１」の文書を連結し、１つの文書として送信する。
【００２９】
また、信号ＳＥＰの値が「０００３」であり、信号ＰＷＤの値が「２２２２」の場合には、ファイル番号「Ｆ００２０」の文書とファイル番号「Ｆ００２２」の文書を連結し、１つの文書として送信する。
【００３０】
また、信号ＳＥＰの値が「０００３」であり、信号ＰＷＤの値が「３３３３」の場合には、ファイル番号「Ｆ００２０」の文書とファイル番号「Ｆ００２３」の文書を連結し、１つの文書として送信する。
【００３１】
また、信号ＳＥＰの値が「０００３」であり、信号ＰＷＤの値が「４４４４」の場合には、ファイル番号「Ｆ００２０」の文書とファイル番号「Ｆ００２４」の文書を連結し、１つの文書として送信する。
【００３２】
このように、相手端末から受信した信号ＳＥＰと信号ＰＷＤの内容の組合せに応じて、送信する文書ファイルを選択するとともに、複数の文書ファイルを組み合わせて送信するように設定しているので、例えば、料金を支払ってサービスに登録している登録ユーザと、それ以外の非登録ユーザについて、別々の文書ファイルを配信することができ、ユーザ種別に応じた配信サービスが可能となる。
【００３３】
また、信号ＳＥＰの値で送信する文書の１つの指定し、信号ＰＷＤの値で組み合わせて送信する文書を指定するようにしているので、ユーザ別に異なる文書を送信することができる。例えば、あらかじめユーザが情報の取得を所望する分野を登録しておけば、他のユーザにも送信される一般的な情報の他に、その登録された分野の情報が追加されて送信されることとなり、非常に便利である。
【００３４】
また、本実施例の機能は、いわゆる受信ボックス機能においてボックス番号を指定する情報との組合せにも適用することができる。
【００３５】
図３は、着信検出時の処理の一例を示している。
【００３６】
まず、着信検出すると、着信応答し（処理１０１）、所定のグループ３ファクシミリ伝送前手順（ＩＴＵ−Ｔ勧告Ｔ．３０に準拠した伝送手順）を実行し（処理１０２）、相手端末がポーリング送信要求をしたかどうかを調べる（判断１０３）。
【００３７】
判断１０３の結果がＹＥＳになるときには、処理１０２で受信している信号ＳＥＰと信号ＰＷＤ（受信しない場合がある；前述）の値を取得し（処理１０４）、まず、信号ＳＥＰと信号ＰＷＤの値に基づいて、所定の認証処理を行う（処理１０５）。
【００３８】
この認証処理で、ユーザ認証が「ＯＫ」と判断された場合には（判断１０６の結果がＹＥＳ）、信号ＳＥＰと信号ＰＷＤの値に基づいて、上述したポーリング送信ファイル管理テーブルを検索して、送信する文書のファイル番号を取得する（処理１０７）。なお、ユーザを制限しないフリーポーリングモードが設定されていて、信号ＰＷＤを受信しない場合には、ユーザ認証は「ＯＫ」と判断される。
【００３９】
そして、所定のポーリング伝送前手順を行い（処理１０８）、処理１０７で取得した番号の文書の画情報を送信する（処理１０９）。そして、この送信処理を終了すると、回線を復旧して（処理１１０）、このときの動作を終了する。
【００４０】
また、ユーザ認証が「ＯＫ」とならずに、判断１０６の結果がＮＯになる場合には、処理１１０へ移行し、その時点で、回線を復旧する。
【００４１】
また、相手端末よりポーリング送信が要求されなかった場合で、判断１０３の結果がＮＯになるときには、通常の受信処理を行い（処理１１１）、この受信処理が終了すると処理１１０へ移行し、回線を復旧して、このときの動作を終了する。
【００４２】
なお、上述した実施例では、信号ＳＥＰと信号ＰＷＤの値の組合せにより、送信する文書ファイルを選択するようにしているが、ＩＴＵ−Ｔ勧告Ｔ．３０に規定されている信号ＣＩＧの値（電話番号）や、信号ＮＳＣの値（端末識別名）に関連して、送信する文書ファイルを登録するようにすることもできる。
【００４３】
また、網との間で発信者番号通知サービスを契約している場合には、着信時に、網より所定の手順に従って発信者番号が通知されてくるので、その発信者番号に対応して、送信する文書ファイルを登録するようにすることもできる。
【００４４】
また、上述した実施例では、グループ３ファクシミリ装置に本発明を適用した場合について説明したが、それ以外のポーリング送信機能を備えた通信装置について、本発明を同様に適用することができる。
【００４５】
【発明の効果】
以上説明したように、本発明によれば、相手端末から受信した信号の内容に応じて、送信する文書ファイルを選択するとともに、複数の文書ファイルを組み合わせて送信するように設定しているので、例えば、料金を支払ってサービスに登録している登録ユーザと、それ以外の非登録ユーザについて、別々の文書ファイルを配信することができ、ユーザ種別に応じた配信サービスが可能となるという効果を得る。
【図面の簡単な説明】
【図１】本発明の一実施例にかかるグループ３ファクシミリ装置の構成例を示したブロック図。
【図２】ポーリング送信ファイル管理テーブルの一例を示した概略図。
【図３】着信検出時の処理の一例を示したフローチャート。
【符号の説明】
１  システム制御部
２  システムメモリ
３  パラメータメモリ
【図１】
2004260551.tif 000003
【図２】
2004260551.tif 000004
【図３】
2004260551.tif 000005